(57)【特許請求の範囲】
【請求項１】
第１のパネルと、前記第１のパネルの反対側に位置された第２のパネルと、を有した筐体と、
前記第１のパネルと前記第２のパネルとの間に位置されたフレームと、
前記フレームに設けられ、前記筐体を衝撃から保護するバンパー部と、
前記フレームに防振体を介して支持されるとともに、前記第１のパネルが固定された支持体と、
前記支持体に固定され、前記第１のパネルで覆われた表示画面を有する表示モジュールと、
前記第２のパネルと前記フレームとの間に設けられたプリント回路板と、を具備し、
前記第１のパネルが前記筐体の外に露出された第１の面を有するとともに、前記第２のパネルが前記筐体の外に露出された第２の面を有する電子機器であって、
前記フレームの前記バンパー部は、前記筐体の周方向に連続するとともに前記第１のパネルの外周縁部および前記第２のパネルの外周縁部よりも前記筐体の外に突出するように構成され、
当該バンパー部は、前記第１のパネルの前記第１の面を取り囲むように前記第１の面よりも前記筐体の外に突出された第１の縁部と、前記第２のパネルを取り囲む第２の縁部と、を含み、
前記第１のパネルの前記外周縁部および前記支持体が前記バンパー部から離れているとともに、前記支持体と前記バンパー部との間に前記支持体と前記バンパー部との間を埋めるように弾性を有するシール材が介在され、当該シール材が前記第１のパネルの前記外周縁部と前記バンパー部との間の隙間から前記筐体の外に露出された電子機器。
【請求項２】
請求項１の記載において、前記シール材は、前記バンパー部に接するように前記支持体の外周部に固定された電子機器。
【請求項３】
第１の壁および第２の壁を有する外装部材であって、前記第２の壁が前記第１の壁に対し外装部材の厚さ方向に沿う反対側に位置された外装部材と、
前記第１の壁と前記第２の壁との間に設けられた中間部材と、
前記中間部材に設けられ、前記第１の壁の外周縁部および前記第２の壁の外周縁部から前記外装部材の外に突出された突出部と、
前記中間部材に防振体を介して支持されるとともに、前記第１の壁が固定された支持体と、
前記支持体に固定されたモジュールと、を具備し、
前記第１の壁が前記外装部材の外に露出された第１の面を有するとともに、前記第２の壁が前記外装部材の外に露出された第２の面を有する電子機器であって、
前記中間部材の前記突出部は、前記第１の壁および前記第２の壁を周方向に連続して取り囲むとともに前記第１の壁の前記外周縁部および前記第２の壁の前記外周縁部から前記外装部材の外に突出するように構成され、
当該突出部は、前記第１の壁の前記第１の面を取り囲むように前記第１の面よりも前記外装部材の外に突出された第１の縁部と、前記第２の壁を取り囲む第２の縁部と、を含み、
前記第１の壁の前記外周縁部および前記支持体が前記突出部から離れているとともに、前記支持体と前記突出部との間に前記支持体と前記突出部との間を埋めるように弾性を有するシール材が介在され、当該シール材が前記第１の壁の前記外周縁部と前記突出部との間の隙間から前記外装部材の外に露出された電子機器。
【請求項４】
請求項３の記載において、前記突出部は、前記第１の壁の外周縁部と前記第２の壁の外周縁部との間に跨る外郭壁を含む電子機器。  
【請求項５】
請求項４の記載において、前記シール材は、前記外郭壁に接するように前記支持体の外周部に固定された電子機器。
【発明の詳細な説明】
【技術分野】
【０００１】
本発明の実施形態は、例えばタッチパネル式の表示モジュールを搭載した電子機器に関する。
【背景技術】
【０００２】
タブレット型のポータブルコンピュータは、タッチパネルを覆う透明な保護板を有している。保護板は、ポータブルコンピュータの表面に全面的に露出されている。
【先行技術文献】
【特許文献】
【０００３】
【特許文献１】特開２００９−２３７１７７号公報
【発明の概要】
【発明が解決しようとする課題】
【０００４】
保護板は、割れ易いガラスや傷付き易いプラスチックで構成されている。そのため、ポータブルコンピュータを誤って落下させた時に、ポータブルコンピュータに加わる衝撃によって保護板が破損する可能性が高い。
【０００５】
本発明の目的は、落下あるいは圧迫等に起因する衝撃をフレームで吸収することができ、堅牢で耐衝撃性に優れた電子機器を得ることにある。
【課題を解決するための手段】
【０００６】
実施形態によれば、電子機器は、第１のパネルと、前記第１のパネルの反対側に位置された第２のパネルと、を有した筐体と、前記第１のパネルと前記第２のパネルとの間に位置されたフレームと、前記フレームに設けられ、前記筐体を衝撃から保護するバンパー部と、前記フレームに防振体を介して支持されるとともに、前記第１のパネルが固定された支持体と、前記支持体に固定され、前記第１のパネルで覆われた表示画面を有する表示モジュールと、前記第２のパネルと前記フレームとの間に設けられたプリント回路板と、を具備し、前記第１のパネルが前記筐体の外に露出された第１の面を有するとともに、前記第２のパネルが前記筐体の外に露出された第２の面を有している。
前記フレームの前記バンパー部は、前記筐体の周方向に連続するとともに前記第１のパネルの外周縁部および前記第２のパネルの外周縁部よりも前記筐体の外に突出するように構成されている。当該バンパー部は、前記第１のパネルの前記第１の面を取り囲むように前記第１の面よりも前記筐体の外に突出された第１の縁部と、前記第２のパネルを取り囲む第２の縁部と、を含み、前記第１のパネルの前記外周縁部および前記支持体が前記バンパー部から離れている。前記支持体と前記バンパー部との間に前記支持体と前記バンパー部との間を埋めるように弾性を有するシール材が介在され、当該シール材が前記第１のパネルの前記外周縁部と前記バンパー部との間の隙間から前記筐体の外に露出されている。
【図面の簡単な説明】
【０００７】
【図１】実施形態に係るタブレット型ポータブルコンピュータの斜視図。
【図２】実施形態に係るタブレット型ポータブルコンピュータを分解して示す斜視図。
【図３】実施形態に係るタブレット型ポータブルコンピュータの断面図。
【図４】実施形態において、タブレット型ポータブルコンピュータの内部の構造を一部断面で示す斜視図。
【図５】実施形態において、ＬＣＤサポートがフレームに弾性的に支持された部分の構造を一部断面で示す斜視図。
【図６】第１の参考例に係るタブレット型ポータブルコンピュータの平面図。
【図７】第１の参考例に係るタブレット型ポータブルコンピュータの側面図。
【図８】図６のＦ８−Ｆ８線に沿う断面図。
【図９】第２の参考例に係るタブレット型ポータブルコンピュータの平面図。
【図１０】図９のＦ１０−Ｆ１０線に沿う断面図。
【発明を実施するための形態】
【０００８】
以下、実施形態について、図１ないし図５を参照して説明する。
【０００９】
図１ないし図３は、タブレット型ポータブルコンピュータ１を開示している。ポータブルコンピュータ１は、電子機器の一例であり、例えばユーザが手で持って使用できる大きさを有している。
【００１０】
ポータブルコンピュータ１は、筐体２、フレーム３、ＬＣＤサポート４および表示モジュール５を主要な構成要素として備えている。筐体２は、ポータブルコンピュータ１の外郭を構成する外装部材の一例である。外装部材は、ポータブルコンピュータ１の一部を構成する第１の部材と言い換えることができる。
【００１１】
筐体２は、保護板７およびベース８を有している。保護板７は、第１のパネル又は第１の壁の一例であって、ガラスあるいはプラスチックのような透光性材料で構成されている。保護板７は、四角い透明な表示領域７ａと、表示領域７ａを取り囲む不透明なマスク部７ｂとを有している。表示領域７ａおよびマスク部７ｂは、同一の平面上に位置されているとともに、筐体２の外に全面的に露出された第１の面を構成している。
【００１２】
ベース８は、例えばアルミニウム合金又はマグネシウム合金のような金属製であり、筐体２の底を構成している。ベース８は、第２のパネル又は第２の壁の一例であって、四角い底板８ａと、底板８ａの外周縁から立ち上がるフランジ部８ｂとを有している。ベース８は、底板８ａとフランジ部８ｂとを一体化したバスタブ型であり、継ぎ目のない立体構造を採用している。底板８ａの裏面は、筐体２の外に全面的に露出された第２の面を構成している。
【００１３】
保護板７およびベース８は、筐体２の厚み方向に互いに間隔を存して平行に配置されている。そのため、ベース８は、保護板７に対し筐体２の厚み方向に沿う反対側に位置されている。
【００１４】
フレーム３は、中間部材の一例であって、保護板７とベース８との間に設けられている。中間部材は、筐体２と協働してポータブルコンピュータ１を構成する第２の部材と言い換えることができる。
【００１５】
フレーム３は、例えばアルミニウム合金又はマグネシウム合金のような金属もしくは高剛性樹脂で構成され、堅牢である。高剛性樹脂とは、例えば樹脂中にガラス繊維、カーボン繊維、その他の強化繊維およびタルクのような添加剤を混入した繊維強化樹脂のことを指しており、本実施形態では、ヤング率が４０００MPa以上に設定されている。
【００１６】
図２に示すように、フレーム３は、実装部１０とバンパー部１１とを有する一体構造物である。実装部１０は、保護板７とベース８の底板８ａとの間に介在された四角い板で構成されている。実装部１０は、保護板７との間に第１の実装スペース１２を規定しているとともに、ベース８の底板８ａとの間に第２の実装スペース１３を規定している。第１の実装スペース１２と第２の実装スペース１３との間は、実装部１０に設けられた配線用の通孔１４を介して互いに連通されている。
【００１７】
フレーム３の実装部１０は、板状に限らず、例えば複数の縦桟と複数の横桟とを組み合わせた格子状に形成してもよい。この場合、縦桟と横桟とで規定される複数の空所を通じて第１の実装スペース１２と第２の実装スペース１３との間が連通されるとともに、空所の存在によりフレーム３の軽量化を図ることができる。
【００１８】
バンパー部１１は、実装部１０の外周縁部に一体に形成されて、実装部１０を周方向に連続して取り囲んでいる。バンパー部１１は、突出部の一例であって、フレーム３の一部分あるいはフレーム３の外周部分に位置された領域であるということができる。
【００１９】
バンパー部１１は、外郭壁１６を有している。外郭壁１６は、保護板７の外周縁部と底板８ａの外周縁部との間に跨るようにポータブルコンピュータ１の厚み方向に延びて、筐体２の外に突出されている。
【００２０】
さらに、外郭壁１６は、第１の縁部１６ａと第２の縁部１６ｂとを有している。第１の縁部１６ａは、保護板７を周方向に連続して取り囲んでいるとともに、保護板７のマスク部７ｂよりもポータブルコンピュータ１の厚み方向に数ミリ突出されている。
【００２１】
第２の縁部１６ｂは、第１の縁部１６ａの反対側に位置されて、ベース８のフランジ部８ｂを周方向に連続して取り囲んでいる。第２の縁部１６ｂは、ベース８の底板８ａの裏面と同一の面上に位置されるか、あるいは底板８ａの裏面よりもポータブルコンピュータ１の厚み方向に数ミリ突出されている。
【００２２】
したがって、バンパー部１１の外郭壁１６は、ポータブルコンピュータ１の外に全面的に露出されて、ポータブルコンピュータ１の外形を形作る輪郭を構成している。
【００２３】
ＬＣＤサポート４は支持体の一例であって、例えば合成樹脂材料で構成されている。図２に最もよく示されるように、ＬＣＤサポート４は、四角い開口部１８を規定した額縁部１９を有している。額縁部１９は、保護板７とフレーム３の実装部１０との間に介在されて、バンパー部１１の外郭壁１６により取り囲まれている。
【００２４】
図３ないし図５に示すように、保護板７のマスク部７ｂは、額縁部１９の表面に接着等の手段により固定されている。これにより、保護板７の表示領域７ａが額縁部１９の開口部１８と向かい合っている。
【００２５】
さらに、本実施形態では、保護板７の表示領域７ａの裏面に手書き入力機能を有する圧電式又は静電式のタッチパネル２０が接着等の手段により固定されている。タッチパネル２０は、ＬＣＤサポート４の額縁部１９により取り囲まれている。
【００２６】
図３に示すように、表示モジュール５は、ＬＣＤサポート４の額縁部１９に接着等の手段により固定されて、第１の実装スペース１２に収容されている。表示モジュール５は、画像および映像を表示する四角い表示画面５ａを有している。表示画面５ａは、ＬＣＤサポート４の開口部１８を通じてタッチパネル２０の裏面と向かい合っている。
【００２７】
スペーサ２１がタッチパネル２０の裏面の外周縁部と表示モジュール５の外周縁部との間に介在されている。スペーサ２１は、表示画面５ａとタッチパネル２０との間にモアレ縞を防ぐための間隙２２を形成している。
【００２８】
表示モジュール５および保護板７が固定されたＬＣＤサポート４は、フレーム３の実装部１０に浮動的に支持されている。
【００２９】
具体的に述べると、図２および図５に示すように、中空円筒状のボス部２４がＬＣＤサポート４の額縁部１９に形成されている。ボス部２４は、額縁部１９の四つの角部からフレーム３の実装部１０に向けて一体に突出されている。ボス部２４の突出端部に雌ねじ部材２５が一体的に埋め込まれている。雌ねじ部材２５は、ボス部２４の内側にねじ孔２６を形成している。
【００３０】
図５に示すように、フレーム３の実装部１０は、ボス部２４に対応する凹部２８を有している。凹部２８は、実装部１０の四つの角部に位置されているとともに、各凹部２８の底にねじ孔２６と合致する通孔２９が設けられている。
【００３１】
ボス部２４の先端部は、凹部２８の内側に同軸状に挿入されている。ボス部２４の外周面と凹部２８の内周面との間に防振体３０が介在されている。防振体３０は、例えば柔軟なゴム状弾性体で構成されている。防振体３０は、第１の円筒部３１、第２の円筒部３２およびフランジ部３３を一体に備えている。
【００３２】
第１の円筒部３１は、ボス部２４の先端部と凹部２８の内面との間に介在されている。第２の円筒部３２は、第１の円筒部３１の底に連続するとともに、通孔２９の内側に位置されている。フランジ部３３は、第２の円筒部３２の開口端から凹部２８の外に張り出している。
【００３３】
図５に示すように、防振体３０の内側に固定ねじ３５が挿入されている。固定ねじ３５は、フレーム３の下から防振体３０の第２の円筒部３２を貫通してボス部２４のねじ孔２６にねじ込まれている。それとともに、固定ねじ３５に装着されたワッシャ３６が固定ねじ３５の頭部３５ａと防振体３０のフランジ部３３との間に介在されている。
【００３４】
この結果、ＬＣＤサポート４は、防振体３０を介して弾性的に変位可能にフレーム３の実装部１０に支持されているとともに、フレーム３の外郭壁１６で取り囲まれている。
【００３５】
本実施形態では、第１の隙間３７がフレーム３の外郭壁１６と保護板７の外周縁部およびＬＣＤサポート４の額縁部１９の外周縁部との間に形成されている。これにより、保護板７およびＬＣＤサポート４は、外郭壁１６に接することなく外郭壁１６の内側に位置されている。
【００３６】
スポンジ製のシール材３８が額縁部１９の外周部に接着されている。シール材３８は、外郭壁１６の内面に接することで第１の隙間３７を埋めている。
【００３７】
ベース８の底板８ａは、図示しない複数の固定ねじを介してフレーム３の実装部１０に固定されている。ベース８とフレーム３の実装部１０との間の第２の実装スペース１３にバッテリ３９およびプリント回路板４０が収容されている。
【００３８】
さらに、第２の隙間４１がフレーム３の外郭壁１６とベース８のフランジ部８ｂとの間に形成されている。これにより、ベース８は、外郭壁１６に接することなく外郭壁１６の内側に位置されている。
【００３９】
本実施形態によると、ＬＣＤサポート４を支持する堅牢なフレーム３が保護板７および表示モジュール５を取り囲むバンパー部１１を備えている。バンパー部１１の外郭壁１６は、ポータブルコンピュータ１の外に全面的に露出されて、ポータブルコンピュータ１の外形を形作る輪郭を構成している。
【００４０】
このため、ユーザがポータブルコンピュータ１を手で持って操作している時に、誤ってポータブルコンピュータ１を床の上に落下させた場合、堅牢なフレーム３のバンパー部１１で落下に伴う衝撃を受け止めることができる。
【００４１】
すなわち、ユーザがポータブルコンピュータ１を床の上に落下させた場合、ポータブルコンピュータ１は、保護板７を上向き又は下向きにした水平の姿勢で落下するというよりも、むしろポータブルコンピュータ１の角部を下向きにした姿勢で落下する可能性が高い。そのため、ポータブルコンピュータ１の外形を形作るバンパー部１１の外郭壁１６が最初に床に衝突する確率が高くなる。
【００４２】
特に本実施形態では、外郭壁１６の第１の縁部１６ａが壊れやすい保護板７の表示領域７ａおよびマスク部７ｂよりもポータブルコンピュータ１の厚み方向に突出しているので、外郭壁１６の第１の領域１６ａが床に衝突する確率がより一層高くなる。
【００４３】
したがって、ポータブルコンピュータ１を床の上に落下させたとしても、床がポータブルコンピュータ１の表面に露出された保護板７を直撃するのを回避でき、保護板７の破損を防止することができる。
【００４４】
加えて、表示モジュール５や保護板７が固定されたＬＣＤサポート４は、フレーム３の実装部１０に防振体３０を介して弾性的に支持されている。このため、フレーム３のバンパー部１１が床に衝突した時に、バンパー部１１から実装部１０を介してＬＣＤサポート４に伝わる衝撃は、実装部１０とＬＣＤサポート４との間に介在された防振体３０によって吸収される。
【００４５】
すなわち、防振体３０は、バンパー部１１が受けた衝撃を変形することで吸収する。これにより、防振体３０からＬＣＤサポート４に伝わる衝撃が緩和される。
【００４６】
それとともに、バンパー部１１の外郭壁１６は、第１の隙間３７の存在によりＬＣＤサポート４の実装部１０の外周縁部から離れている。このため、バンパー部１１で受けた衝撃が外郭壁１６からＬＣＤサポート４の実装部１０に直接伝わるのを回避できる。
【００４７】
この結果、バンパー部１１が受けた衝撃は、防振体３０で緩和された状態でＬＣＤサポート４に伝わることになり、ＬＣＤサポート４に固定された表示モジュール５や保護板７にポータブルコンピュータ１の落下に伴う衝撃がそのまま伝わるのを回避できる。
【００４８】
よって、表示モジュール５や保護板７が壊れにくくなり、ポータブルコンピュータ１の耐衝撃性を高めることができる。
【００４９】
本実施形態によると、ポータブルコンピュータ１の外形を形作るバンパー部１１の外郭壁１６は、その第１の縁部１６ａが保護板７よりもポータブルコンピュータ１の厚み方向に突出し、第２の縁部１６ｂがベース８の底板８ａの裏面と同一の平面上に位置している。
【００５０】
言い換えると、堅牢なバンパー部１１の外郭壁１６がポータブルコンピュータ１の厚みを規定しているので、ポータブルコンピュータ１を厚み方向に圧迫しようとする外力に対しては外郭壁１６が対抗する。
【００５１】
このため、ポータブルコンピュータ１が厚み方向に圧迫されたとしても、表示モジュール５や保護板７に無理な力が加わるのを防止できる。
【００５２】
図６ないし図８は、前記実施形態と関連性を有する第１の参考例に係るタブレット型ポータブルコンピュータ５０を開示している。
【００５３】
第１の参考例によると、ポータブルコンピュータ５０は、筐体５１およびフレーム５２を主要な構成要素として備えている。筐体５１は、ポータブルコンピュータ５０の外郭を構成する外装部材又は第１の部材の一例であって、例えば合成樹脂材料により形成されている。筐体５１は、第１ないし第４の角部５１ａ，５１ｂ，５１ｃ，５１ｄを含むフラットな四角い箱型であり、ユーザが手で持って使用できる大きさを有している。
【００５４】
筐体５１は、トップカバー５３とベース５４とを備えている。トップカバー５３は、第１のパネル又は第１の壁の一例であって、開口部５５が設けられた四角い上壁５６と、上壁５６の外周縁に連続する周壁５７とを備えている。上壁５６は、筐体５１の外に全面的に露出された第１の面を構成している。
【００５５】
ベース５４は、第２のパネル又は第２の壁の一例であって、四角い底壁５８と、底壁５８の外周縁に連続する周壁５９とを備えている。ベース５４は、底壁５８および周壁５９を一体化したバスタブ型であり、継ぎ目のない立体構造を採用している。底壁５８の裏面は、筐体５１の外に全面的に露出された第２の面を構成している。
【００５６】
トップカバー５３およびベース５４は、筐体５１の厚み方向に組み合わされている。そのため、ベース５４は、トップカバー５３に対し筐体５１の厚み方向に沿う反対側に位置されている。
【００５７】
フレーム５２は、中間部材又は第２の部材の一例であって、トップカバー５３とベース５４との間に介在されている。フレーム５２は、例えばアルミニウム合金又はマグネシウム合金のような堅牢な金属材料で構成されている。
【００５８】
図８に示すように、フレーム５２は、実装部６１とバンパー部６２とを有する一体構造物である。実装部６１は、トップカバー５３とベース５４との間を仕切る四角い板で構成されている。実装部６１は、トップカバー５３との間に第１の実装スペース６３を規定しているとともに、ベース５４との間に第２の実装スペース６４を規定している。
【００５９】
第１の実装スペース６３に表示モジュール６５が収容されている。表示モジュール６５は、フレーム５２の実装部６１に固定されて、画像や映像を表示する表示画面６５ａが開口部５５から筐体５１の外に露出されている。
【００６０】
第２の実装スペース６４にプリント回路板６６およびバッテリ６７が収容されている。プリント回路板６６およびバッテリ６７は、フレーム５２の実装部６１に固定されている。
【００６１】
バンパー部６２は、第１ないし第４の突出部６８ａ，６８ｂ，６８ｃ，６８ｄを有している。第１ないし第４の突出部６８ａ，６８ｂ，６８ｃ，６８ｄは、筐体５１の第１ないし第４の角部５１ａ，５１ｂ，５１ｃ，５１ｄに対応する位置で周壁５７，５９の間から筐体５１の外に向けて円弧状に張り出している。第１ないし第４の突出部６８ａ，６８ｂ，６８ｃ，６８ｄは、フレーム５２の一部分あるいはフレーム５２の外周部分に位置された領域であるということができる。
【００６２】
第１の参考例によると、表示モジュール６５、プリント回路板６６およびバッテリ６７を支持する堅牢なフレーム５２が、第１ないし第４の突出部６８ａ，６８ｂ，６８ｃ，６８ｄを有している。第１ないし第４の突出部６８ａ，６８ｂ，６８ｃ，６８ｄは、筐体５１の第１ないし第４の角部５１ａ，５１ｂ，５１ｃ，５１ｄに対応する位置で筐体５１の外に張り出している。
【００６３】
このため、ユーザがポータブルコンピュータ５０を手で持って操作している時に、誤ってポータブルコンピュータ５０を床の上に落下させた場合、堅牢なバンパー部６２の第１ないし第４の突出部６８ａ，６８ｂ，６８ｃ，６８ｄが最初に床に衝突する確率が高くなる。
【００６４】
したがって、ポータブルコンピュータ５０を床の上に落下させたとしても、床が筐体５１の開口部５５から露出された表示モジュール６５の表示画面６５ａを直撃するのを回避でき、表示画面６５ａの破損を防止できる。
【００６５】
しかも、ポータブルコンピュータ５０に加わる衝撃を堅牢なバンパー部６２が受け止めて吸収する。そのため、筐体５１に無理な力が加わらずに済み、筐体５１の破損を防止することができる。
【００６６】
よって、フレーム５２を利用してポータブルコンピュータ５０の耐衝撃性を高めることができる。
【００６７】
図９および図１０は、前記実施形態と関連性を有する第２の参考例に係るタブレット型のポータブルコンピュータ７０を開示している。
【００６８】
第２の参考例は、フレーム５２のバンパー部６２の構成が第１の参考例と相違している。これ以外のポータブルコンピュータ７０の構成は、第１の参考例と同様である。そのため、第２の参考例において、第１の参考例と同一の構成部分には同一の参照符号を付して、その説明を省略する。
【００６９】
図９および図１０に示すように、フレーム５２のバンパー部６２は、筐体５１の周壁５７，５９の間から筐体５１の外に張り出す第１ないし第４の外周縁部７１ａ，７１ｂ，７１ｃ，７１ｄを有している。
【００７０】
第１の外周縁部７１ａは、第１の突出部６８ａと第２の突出部６８ｂとの間を直線状に結んでいる。第２の外周縁部７１ｂは、第２の突出部６８ｂと第３の突出部６８ｃとの間を直線状に結んでいる。第３の外周縁部７１ｃは、第３の突出部６８ｃと第４の突出部６８ｄとの間を直線状に結んでいる。第４の外周縁部７１ｄは、第４の突出部６８ｄと第１の突出部６８ａとの間を直線状に結んでいる。
【００７１】
そのため、バンパー部６２の第１ないし第４の外周縁部７１ａ，７１ｂ，７１ｃ，７１ｄは、第１ないし第４の突出部６８ａ，６８ｂ，６８ｃ，６８ｄと協働して筐体５１を周方向に連続して取り囲んでいる。
【００７２】
第２の参考例によると、ポータブルコンピュータ５０を誤って床の上に落下させた時の衝撃を堅牢なフレーム５２のバンパー部６２で受け止めることができる。それとともに、フレーム５２のバンパー部６２は、第１ないし第４の突出部６８ａ，６８ｂ，６８ｃ，６８ｄの間で筐体５１の周壁５７，５９の外に張り出す第１ないし第４の外周縁部７１ａ，７１ｂ，７１ｃ，７１ｄを有するので、第１ないし第４の外周縁部７１ａ，７１ｂ，７１ｃ，７１ｄが筐体５１の周壁５７，５９を保護するプロテクタとして機能する。
【００７３】
そのため、筐体５１を全周に亘って衝撃から保護することができ、ポータブルコンピュータ５０の耐衝撃性が向上するといった利点がある。
【００７４】
前記実施形態および前記参考例では、タブレット型のポータブルコンピュータを電子機器の一例として説明したが、例えばキーボードを有するコンピュータ本体と、このコンピュータ本体に回動可能に支持された表示装置とを備えたノート型のポータブルコンピュータでも同様に実施可能である。
【００７５】
具体的には、ノート型のポータブルコンピュータでは、コンピュータ本体の筐体の内部に、例えばマザーボードやハードディスク駆動装置のような主要な構成要素を支持するフレームを収容するとともに、このフレームの少なくとも一部を筐体の外に突出させてバンパー部として利用する。
【００７６】
さらに、表示装置の筐体の内部に、表示パネルを支持するフレームを収容するとともに、このフレームの少なくとも一部を筐体の外に突出させてバンパー部として利用するようにしてもよい。
【００７７】
加えて、電子機器はポータブルコンピュータに限定されるものではなく、例えば、携帯電話、スマートフォン、ＰＤＡ(Personal Digital Assistant)あるいは携帯型のゲーム機のようなその他の電子機器に広く適用が可能である。
【００７８】
本発明のいくつかの実施形態を説明したが、これらの実施形態は、例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に、本願出願の当初の特許請求の範囲に記載された発明を付記する。
[１] 第１のパネルと、前記第１のパネルの反対側に位置された第２のパネルと、を有した筐体と、
前記筐体に収容され、前記第１のパネルと前記第２のパネルとの間に位置されたフレームと、
前記第１のパネルと前記フレームとの間に設けられ、前記第１のパネルで覆われた表示画面を有する表示モジュールと、
前記第２のパネルと前記フレームとの間に設けられたプリント回路板と、を具備し、
前記フレームの少なくとも一部に、前記筐体の外に突出されて前記筐体を衝撃から保護するバンパー部が設けられた電子機器。
[２] [１]の記載において、前記フレームの前記バンパー部は、前記第１のパネルの外周縁部および前記第２のパネルの外周縁部よりも前記筐体の外に突出された電子機器。
[３] [２]の記載において、前記フレームの前記バンパー部は、前記筐体の周方向に連続された電子機器。
[４] [３]の記載において、前記第１のパネルは、前記筐体の外に露出された第１の面を有し、前記フレームの前記バンパー部は、前記第１のパネルを取り囲む第１の縁部を有するとともに、前記第１の縁部は、前記第１の面よりも前記筐体の外に突出された電子機器。
[５] [３]又は[４]の記載において、前記第２のパネルは、前記筐体の外に露出された第２の面を有し、前記フレームの前記バンパー部は、前記第２のパネルを取り囲む第２の縁部を有した電子機器。
[６] [１]ないし[５]のいずれかの記載において、前記表示モジュールが取り付けられた支持体をさらに備えており、前記支持体は、前記フレームに防振体を介して弾性的に支持された電子機器。
[７] 第１の壁と、
前記第１の壁の反対側に位置された第２の壁と、
前記第１の壁と前記第２の壁との間に設けられた中間部材と、
前記中間部材に支持されたモジュールと、
前記中間部材の少なくとも一部に設けられ、前記第１の壁の外周縁部および前記第２の壁の外周縁部から前記第１および第２の壁の外に突出された突出部と、を具備する電子機器。
[８] [７]の記載において、前記突出部は、前記第１の壁および前記第２の壁を周方向に連続して取り囲んだ電子機器。
[９] [８]の記載において、前記突出部は、前記第１の壁の外周縁部と前記第２の壁の外周縁部との間に跨る外郭壁を含む電子機器。
[１０] [９]の記載において、前記第１の壁は、第１の壁の外に露出された第１の面を有し、前記突出部の前記外郭壁は、前記第１の壁を取り囲む第１の縁部を有するとともに、前記第１の縁部は、前記第１の面よりも前記第１の壁の外に突出された電子機器。
[１１] [９]又は[１０]の記載において、前記第１の壁の外周縁部と前記外郭壁との間に第１の隙間が設けられているとともに、前記第２の壁の外周縁部と前記外郭壁との間に第２の隙間が設けられた電子機器。
[１２] [１１]の記載において、前記モジュールが取り付けられた支持体をさらに備えており、前記支持体は、前記中間部材に防振体を介して弾性的に支持された電子機器。
[１３] [１２]の記載において、前記第１の壁は、前記モジュールが有した表示画面を覆う保護板である電子機器。
[１４] 外装部材と、
前記外装部材の内側でモジュールを支持するとともに、少なくとも一部が前記外装部材の外に突出された中間部材と、を具備する電子機器。
[１５] [１４]の記載において、前記中間部材のうち前記外装部材の外に突出された部分は、前記外装部材および前記モジュールを衝撃から保護するバンパー部を構成した電子機器。
[１６] [１５]の記載において、前記中間部材に防振材を介して弾性的に支持された支持体をさらに備えており、前記支持体に前記モジュールが取り付けられた電子機器。
【符号の説明】
【００７９】
２…筐体（外装部材）、３…フレーム（中間部材）、４…支持体、５…表示モジュール（モジュール）、７…第１のパネル（第１の壁、保護板）、７ａ，７ｂ…第１の面（表示領域、マスク部）、８…第２のパネル（第２の壁）、８ａ…第２の面（底板の裏面）、１１…バンパー部（突出部）、１６ａ…第１の縁部、１６ｂ…第２の縁部、３０…防振体、３７…隙間（第１の隙間）、３８…シール材、４０…プリント回路板。
【図１】
0005161992.tif 000002
【図２】
0005161992.tif 000003
【図３】
0005161992.tif 000004
【図４】
0005161992.tif 000005
【図５】
0005161992.tif 000006
【図６】
0005161992.tif 000007
【図７】
0005161992.tif 000008
【図８】
0005161992.tif 000009
【図９】
0005161992.tif 000010
【図１０】
0005161992.tif 000011